(57)【要約】【課題】枠滑車、障子滑車とも露出した内倒し窓において開閉時にワイヤロープによる上框端部の傷つき防止機能を有し、しかも部品点数の少ない構成の商品を提供する。【解決手段】枠滑車２と障子滑車３が露出して設けられ、この露出した障子滑車３の取付け用ブラケット５が裏板９によって上框内部側上端より少し高目に取り付け固定されるように構成され、しかもこの裏板９は端部がＬ型に長く折り曲げられ更にその先端部が曲げ加工されてなり、障子の開放時、閉鎖時にはどこにも接触せずに納まり、しかも上框端部の傷つき防止機能が付されてなる。【選択図】図１
2010189973.tif 000002
【特許請求の範囲】
【請求項１】
枠および障子にそれぞれ枠滑車および障子滑車が障子の倒れ方向に露出して設けられ、開閉手段がワイヤロープ式オペレータによりおこなわれる内倒し窓において、この露出した障子滑車の取付け用ブラケットが裏板によって上框の内部側上端より少し高目に取り付け固定されるように構成され、しかもこの裏板において、この裏板端がＬ型に折り曲げられて上框の外部側上端方向に延長され、更にその先端部が曲げ加工され、前記障子の全閉時には上枠と上框との間に納まり、前記障子の開放初期時および全閉間際時においてはこの上枠に接触することなく、前記障子の所定開放角度から全開時の角度までこの先端曲げ加工部にはワイヤロープが接触するが前記障子上框の外部側上端にはワイヤロープが接触しないように構成されてなることを特徴とする上框上端の傷つき防止機能付裏板
【発明の詳細な説明】
【技術分野】
【０００１】
本発明は窓枠およびこの窓枠に支持されて内倒し開閉可能な障子を備えた建具において、この障子に露出して取り付けされる障子滑車の取り付け用ブラケットの裏板をなし、しかも開閉時におけるワイヤロープ通過の際の上框上端の傷つきを防止する防止具に関するものである。
【背景技術】
【０００２】
開閉手段がワイヤロープ式オペレータによりおこなわれる内倒し窓においては上框と上枠との間の空隙部が広い場合には隠蔽可能な首振り式の枠滑車と、同じく隠蔽可能な首振り式のローラ付障子滑車とが使用されてきていた。しかしながらガラス部分をより広く取るようになってその空隙部が狭くなって滑車が空隙部に設置できなくなってきたため枠滑車、障子滑車ともに窓の外付けとして設けなくてはならなくなってきた。
【０００３】
そのため従来から使用されていた首振り式のローラ付障子滑車は使用出来ず、図１０に示すように一つのブラケット５上にローラ６と障子滑車３とを分離させて設け、開放途中でワイヤロープ８が上框の端部に接触しない所定の角度まで開放ダンパー（図示せず）で規制されてきていた。しかしながら窓を全開させたいとのニーズからの要望が多く、そのため発明者はさらに上框の端部に上框部の保護用として回転ローラを設けた倒し窓（特許文献１参照）を提供して窓の全開に成功した。
【０００４】
【特許文献１】特開２００３−２３９６２０
【発明の開示】
【発明が解決しようとする課題】
【０００５】
しかしながら、これらは従来の首振り障子滑車のみの使用から比べると首振り滑車、ブラケット、ローラ、上框部端部の保護用回転ローラと部品点数も増え、それぞれを固定するためのビスも増加してその分コストもアップされてきているという問題点があった。本発明はかかる問題点を解決することを目的として提供されたものである。
【課題を解決するための手段】
【０００６】
本発明は、障子取り付けブラケットの裏板を工夫し、裏板としての使用部端をＬ型に曲げて延長した上、先端部を更に曲げ加工して、全閉時にワイヤロープが上框の端部に接触しないような所定の高さの傷つき防止具にすることによってかかる問題点を解決した。
すなわち、本発明は枠および障子にそれぞれ枠滑車および障子滑車が障子の倒れ方向に露出して設けられ、開閉手段がワイヤロープ式オペレータによりおこなわれる内倒し窓において、この露出した障子滑車の取付け用ブラケットが裏板によって上框の内部側上端より少し高目に取り付け固定されるように構成され、しかもこの裏板において、この裏板端がＬ型に折り曲げられて上框の外部側上端方向に延長され、更にその先端部が曲げ加工され、前記障子の全閉時には上枠と上框との間に納まり、前記障子の開放初期時および全閉間際時においてはこの上枠に接触することなく、前記障子の所定開放角度から全開時の角度までこの先端曲げ加工部にはワイヤロープが接触するが前記障子上框の外部側上端にはワイヤロープが接触しないように構成されてなることを特徴とする上框上端の傷つき防止機能付裏板である。
【０００７】
この先端部の加工は、簡単には単に折り曲げ加工のみでも良いし、先端部に回転ローラが取り付けされる格好のものでも良く、端部が鋭角にならずワイヤロープと接触する際に極力抵抗が小なるものが良い。
【発明の効果】
【０００８】
本発明品の使用は従来に比較して部品点数が少なくなり、使用するビスの数も減少して在庫管理がし易くなり、コストダウンにつながった。またこの裏板は簡単形状のため１個あたりのコストも安価であり、しかも障子自身の上框両端部がワイヤロープにこすられる事がなく傷つきを防止させるという効果がある。
【発明を実施するための最良の形態】
【０００９】
発明の実施の形態を実施例に基づき説明する。図１は本発明実施例１の図６に示す形状の上框上端の傷つき防止機能付裏板を上框に設けた内倒し窓の全体を示す斜視図であり、図２は障子の開放動作と各部品の位置関係を示す断面説明図で全閉時（Ａ）、途中経過時（Ｂ）、全開時（Ｃ）における上框上端の傷つき防止機能付裏板と上框端部とワイヤロープと障子滑車との納まり位置関係を示す断面説明図であり、図３〜図５は各Ａ、Ｂ、Ｃ位置における拡大断面図であり、図６、７は本発明上框端部の傷つき防止機能付裏板の実施形状例であり、図８、図９は図７に示す形状の上框端部の傷つき防止機能付裏板を用いた際の各Ａ、Ｃ位置における拡大断面図であり、図１０は従来におけるサンプル例である。
【００１０】
図１〜図５においてその構成を説明すると、実施例１は図６における形状の裏板９を用いてワイヤロープ式オペレータ１により障子４の開閉がおこなわれるものでその構成は室内側の上枠１１と上框７とに枠滑車２、２および障子滑車３、３をそれぞれ露出させて取付けたものであり、障子滑車３、３は障子４に取り付けされたＺ字型のブラケット５、５に取付けられており、ブラケット５、５を障子４に取り付けするための裏板９が本発明実施例１のものであり、図６に示したものである。このブラケット５、５は上框内部側上端部を保護するため上端部より少し高目に取り付け固定されている。図２におけるＡ位置に示すように、この裏板９がＬ型に折り曲げられ、外部側上端方向に延長されて更にその先端部が曲げ加工され、障子４が全閉時には上枠１１と上框７との間に納まり、障子４の開放初期時および閉鎖間際時においてもこの上枠１１に接触することがなく、全開位置Ｃでは先端曲げ加工部１０にはワイヤロープ９が接触するが前記上框７の端部には接触しないように構成されてなる。
【００１１】
次にその動作について説明すると、全閉時において障子４の開放動作を行なうにはオペレータ１に設けられた押しボタン１２を押すことによりオペレータ１内のワイヤロープ８の巻き取りロックが外れ、障子両側に設けられたダンパー１３により障子４は開放されることになる。図２のＡが障子４の全閉位置であり、障子４はＢ位置を経過してＣ位置の全開位置に至る。この全開位置は障子４の両端に設けられたダンパー１３の全開長さにより決定される。図２のＡ位置すなわち図３において２点鎖線で記されているのは実施例１の裏板９のうちで最も高い部分の軌跡であり、このＡ位置においてはワイヤロープ８との関連はない。次に次第に障子４が開いて図２のＢ位置に達するとワイヤロープ８は図４に示されるように裏板９の先端曲げ加工部１０とブラケット５とによって上框内部側上端部には接触しなくて傷つき保護されており、上框外部側上端部もまた枠滑車２と裏板９の先端曲げ加工部１０によりワイヤロープ８は直線的に緊張して接触していない。続いて障子４は全開のＣ位置に達する。図５において上框外部側上端部は枠滑車２と裏板９の先端曲げ加工部１０とによりワイヤロープ８は直線的に張られ、図４に比較して距離は近づくが接触していないし、上框内部側上端部もまた保護されている。このように本発明実施例１の裏板９はブラケット５を固定させると共に上框上端部の傷つき防止機能付裏板となる。
【００１２】
続いて実施例２の構成を説明すると、実施例２の裏板９は図７に示す形状をなし、裏板９はＬ型に折り曲げられ、延長されて更にその先端部が曲げ加工され、障子４の全閉時には上框との間に納まり、障子４の開放時および閉鎖時においてはこの上枠１１に接触することなく取り付けされてなるものであり、取り付け方法は実施例１と同様であるため説明を省略し、その状況は図８と図９に示す。動作もまた同様であるため説明を省略する。
【図面の簡単な説明】
【００１３】
【図１】本発明実施例１の全体を示す斜視図
【図２】開放動作と各部品の位置関係を示す断面説明図
【図３】図２Ａ位置における拡大断面図
【図４】図２Ｂ位置における拡大断面図
【図５】図２Ｃ位置における拡大断面図
【図６】本発明実施例１の上框端部の傷つき防止機能付裏板を示す斜視図
【図７】本発明実施例２の上框端部の傷つき防止機能付裏板を示す斜視図
【図８】図７を用いた図２Ａ位置における拡大断面図
【図９】図７を用いた図２Ｃ位置における拡大断面図
【図１０】従来サンプル例
【符号の説明】
【００１４】
１、オペレータ
２、枠滑車
３、障子滑車
４、障子
５、ブラケット
６、ローラ
７、上框
８、ワイヤロープ
９、裏板
１０、先端曲げ加工部
１１、上枠
１２、押しボタン
１３、ダンパー
【図１】
2010189973.tif 000003
【図２】
2010189973.tif 000004
【図３】
2010189973.tif 000005
【図４】
2010189973.tif 000006
【図５】
2010189973.tif 000007
【図６】
2010189973.tif 000008
【図７】
2010189973.tif 000009
【図８】
2010189973.tif 000010
【図９】
2010189973.tif 000011
【図１０】
2010189973.tif 000012